(57)【要約】【課題】光輝性色材を用いて目標色画像を印刷した場合に、目標色画像を特定方向から測色した測色値のみを用いて各色の色材量を決定した場合と比較して、印刷された目標色画像を複数方向から見た場合の色再現性を高くする。【解決手段】測色値受付部３４は、メタリック色の色見本である目標色画像を正反射方向（１５°）、正面方向（４５°）、拡散反射方向（１１０°）の３方向から測定することにより得られた複数の測色値を受付ける。変換部３５は、測色値受付部３４により受付けられた複数の測色値を、光輝性色材であるシルバートナーのトナー量を示す値Ｓｉおよびシルバートナー以外のトナーのトナー量を示す値ＣＭＹＫを含む色値（ＣＭＹＫＳｉ）に変換する。【選択図】図４
2019004322.tif 000002
【特許請求の範囲】
【請求項１】
目標色画像を複数方向から測定することにより得られた複数の測色値を受付ける受付手段と、
前記受付手段により受付けられた複数の測色値を、光輝性色材の色材量を示す値および光輝性色材以外の色材の色材量を示す値を含む色値に変換する変換手段と、
を備えた色変換装置。
【請求項２】
前記複数の測色値が、目標色画像に斜め方向から光を照射した場合に、前記目標色画像の法線方向である正面方向において測定された目標色の測色値、および照射光に対する正反射方向において測定された目標色画像の測色値を含む請求項１記載の色変換装置。
【請求項３】
前記複数の測色値が、前記正面方向よりも照射光の入射方向に近い側の拡散光方向において測定された目標色画像の測色値をさらに含む請求項２記載の色変換装置。
【請求項４】
前記複数の測色値が、前記正面方向よりも正反射方向に近い方向において測定された目標色画像の測色値をさらに含む請求項２又は３記載の色変換装置。
【請求項５】
測色方向および各色の色材の色材量の組み合わせと、実際に測定された色値とが対応付けられた色変換モデルが記憶された記憶手段をさらに備え、
前記変換手段は、各測色方向における目標色画像の測色値と、前記色変換モデルから得られる各測色方向の色値との色差の平均値が最小となるような色材量の組み合わせを決定する請求項１から４のいずれか記載の色変換装置。
【請求項６】
前記変換手段は、光輝性色材の色材量を変化させずに光輝性色材以外の色材の色材量を変化させた場合の前記色差の平均値を、光輝性色材の異なる色材量毎に順次算出することにより、前記色差の平均値の最小値が最低となるような光輝性色材の色材量を決定し、光輝性色材の色材量を決定した際の光輝性色材以外の色材の色材量を決定することにより色差の平均値が最小となるような色材量の組み合わせを決定する請求項５記載の色変換装置。
【請求項７】
前記光輝性色材が、金属光沢色トナーである請求項１から６のいずれか記載の色変換装置。
【請求項８】
目標色画像を複数方向から測定することにより得られた複数の測色値を受付ける受付手段と、
前記受付手段により受付けられた複数の測色値を、光輝性色材の色材量を示す値および光輝性色材以外の色材の色材量を示す値を含む色値に変換する変換手段と、
前記変換手段により変換された色値に基づいて画像を出力する出力手段と、
を備えた画像形成装置。
【請求項９】
目標色画像を複数方向から測定することにより得られた複数の測色値を受付ける受付ステップと、
前記受付ステップにおいて受付けられた複数の測色値を、光輝性色材の色材量を示す値および光輝性色材以外の色材の色材量を示す値を含む色値に変換する変換ステップと、
をコンピュータに実行させるためのプログラム。
【発明の詳細な説明】
【技術分野】
【０００１】
本発明は、色変換装置、画像形成装置およびプログラムに関する。
【背景技術】
【０００２】
特許文献１には、与えられた色信号から該色信号の色を再現する場合のメタリック色の色材量の最大値を決定する最大量決定手段と、前記色信号の彩度が高いほど、メタリック色による見かけ上の色の変化に対して前記最大量決定手段で決定された最大値以下の範囲でメタリック色の色材量を減らす調整を行う調整手段と、前記色信号と前記調整手段で調整されたメタリック色の色材量とからメタリック色以外の色材量を決定する色材量決定手段を有することを特徴とする色処理装置が開示されている。
【０００３】
特許文献２には、拡散方向の測色値だけでなく、正反射方向の測色値の明度情報から算出された光沢程度情報を用いてメタリック色を含む各色のインク量をそれぞれ決定するようにした画像処理装置が開示されている。
【先行技術文献】
【特許文献】
【０００４】
【特許文献１】特許第５９２０５８０号公報
【特許文献２】特許第５９０９８８７号公報
【発明の概要】
【発明が解決しようとする課題】
【０００５】
電子写真方式の画像形成装置では、ＣＭＹ色のトナーのような基本色と呼ばれる各色の色材を用いてカラー画像を印刷用紙等の記録媒体上に形成する。さらに、使用頻度の高い黒色についてはＫ色トナーが用いられる場合も多い。
【０００６】
近年では、このような一般的に使用されるＣＭＹＫ色の色材に加えて、特別色の色材を用いて色表現を拡張する場合がある。例えば、ゴールドトナー、シルバートナーのようなメタリック色（金属光沢色）の色材や、パール色材、マイカ色材のような光輝性色材を用いることにより、光沢感のあるカラー画像を形成するようなことが可能となる。
【０００７】
しかし、光輝性色材により印刷された画像は、見る方向が異なると色味が替わる場合があるため、ある特定の方向から測色した測色値を用いて使用する色材量を決定して、目標色画像を再現しようとしても、その特定の方向から見た場合の色味を合せることができるが、他の方向から見た場合の色味が目標色画像とは大きく異なってしまう可能性がある。
【０００８】
本発明の目的は、光輝性色材を用いて目標色画像を印刷した場合に、目標色画像を特定方向から測色した測色値のみを用いて各色の色材量を決定した場合と比較して、印刷された目標色画像を複数方向から見た場合の色再現性を高くすることが可能な色変換装置、画像形成装置およびプログラムを提供することである。
【課題を解決するための手段】
【０００９】
［色変換装置］
請求項１に係る本発明は、目標色画像を複数方向から測定することにより得られた複数の測色値を受付ける受付手段と、
前記受付手段により受付けられた複数の測色値を、光輝性色材の色材量を示す値および光輝性色材以外の色材の色材量を示す値を含む色値に変換する変換手段とを備えた色変換装置である。
【００１０】
請求項２に係る本発明は、前記複数の測色値が、目標色画像に斜め方向から光を照射した場合に、前記目標色画像の法線方向である正面方向において測定された目標色の測色値、および照射光に対する正反射方向において測定された目標色画像の測色値を含む請求項１記載の色変換装置である。
【００１１】
請求項３に係る本発明は、前記複数の測色値が、前記正面方向よりも照射光の入射方向に近い側の拡散光方向において測定された目標色画像の測色値をさらに含む請求項２記載の色変換装置である。
【００１２】
請求項４に係る本発明は、前記複数の測色値が、前記正面方向よりも正反射方向に近い方向において測定された目標色画像の測色値をさらに含む請求項２又は３記載の色変換装置である。
【００１３】
請求項５に係る本発明は、測色方向および各色の色材の色材量の組み合わせと、実際に測定された色値とが対応付けられた色変換モデルが記憶された記憶手段をさらに備え、
前記変換手段は、各測色方向における目標色画像の測色値と、前記色変換モデルから得られる各測色方向の色値との色差の平均値が最小となるような色材量の組み合わせを決定する請求項１から４のいずれか記載の色変換装置である。
【００１４】
請求項６に係る本発明は、前記変換手段が、光輝性色材の色材量を変化させずに光輝性色材以外の色材の色材量を変化させた場合の前記色差の平均値を、光輝性色材の異なる色材量毎に順次算出することにより、前記色差の平均値の最小値が最低となるような光輝性色材の色材量を決定し、光輝性色材の色材量を決定した際の光輝性色材以外の色材の色材量を決定することにより色差の平均値が最小となるような色材量の組み合わせを決定する請求項５記載の色変換装置である。
【００１５】
請求項７に係る本発明は、前記光輝性色材が、金属光沢色トナーである請求項１から６のいずれか記載の色変換装置である。
【００１６】
[画像形成装置]
請求項８に係る本発明は、目標色画像を複数方向から測定することにより得られた複数の測色値を受付ける受付手段と、
前記受付手段により受付けられた複数の測色値を、光輝性色材の色材量を示す値および光輝性色材以外の色材の色材量を示す値を含む色値に変換する変換手段と、
前記変換手段により変換された色値に基づいて画像を出力する出力手段とを備えた画像形成装置である。
【００１７】
[プログラム]
請求項９に係る本発明は、目標色画像を複数方向から測定することにより得られた複数の測色値を受付ける受付ステップと、
前記受付ステップにおいて受付けられた複数の測色値を、光輝性色材の色材量を示す値および光輝性色材以外の色材の色材量を示す値を含む色値に変換する変換ステップとをコンピュータに実行させるためのプログラムである。
【発明の効果】
【００１８】
請求項１に係る本発明によれば、光輝性色材を用いて目標色画像を印刷した場合に、目標色画像を特定方向から測色した測色値のみを用いて各色の色材量を決定した場合と比較して、印刷された目標色画像を複数方向から見た場合の色再現性を高くすることが可能な色変換装置を提供することができる。
【００１９】
請求項２に係る本発明によれば、正反射方向から見た場合の色再現性を高くすることが可能な色変換装置を提供することができる。
【００２０】
請求項３に係る本発明によれば、正面方向よりも照射光の入射方向に近い側の拡散光方向から見た場合の色再現性を高くすることが可能な色変換装置を提供することができる。
【００２１】
請求項４に係る本発明によれば、正面方向によりも正反射方向に近い方向から見た場合の色再現性を高くすることが可能な色変換装置を提供することができる。
【００２２】
請求項５に係る本発明によれば、光輝性色材を用いて目標色画像を印刷した場合に、目標色画像を特定方向から測色した測色値のみを用いて各色の色材量を決定した場合と比較して、印刷された目標色画像を複数方向から見た場合の色再現性を高くすることが可能な色変換装置を提供することができる。
【００２３】
請求項６に係る本発明によれば、光輝性色材を用いて目標色画像を印刷した場合に、目標色画像を特定方向から測色した測色値のみを用いて各色の色材量を決定した場合と比較して、印刷された目標色画像を複数方向から見た場合の色再現性を高くすることが可能な色変換装置を提供することができる。
【００２４】
請求項７に係る本発明によれば、金属光沢色トナーを用いて目標色画像を印刷した場合に、目標色画像を特定方向から測色した測色値のみを用いて各色のトナー量を決定した場合と比較して、印刷された目標色画像を複数方向から見た場合の色再現性を高くすることが可能な色変換装置を提供することができる。
【００２５】
請求項８に係る本発明によれば、光輝性色材を用いて目標色画像を印刷した場合に、目標色画像を特定方向から測色した測色値のみを用いて各色の色材量を決定した場合と比較して、印刷された目標色画像を複数方向から見た場合の色再現性を高くすることが可能な画像形成装置を提供することができる。
【００２６】
請求項９に係る本発明によれば、光輝性色材を用いて目標色画像を印刷した場合に、目標色画像を特定方向から測色した測色値のみを用いて各色の色材量を決定した場合と比較して、印刷された目標色画像を複数方向から見た場合の色再現性を高くすることが可能なプログラムを提供することができる。
【図面の簡単な説明】
【００２７】
【図１】本発明の一実施形態の画像形成装置１０の外観構成を示す図である。
【図２】画像形成装置１０の本体部内の構造を説明するための図である。
【図３】本発明の一実施形態の画像形成装置１０のハードウェア構成を示すブロック図である。
【図４】本発明の一実施形態の画像形成装置１０の機能構成を示すブロック図である。
【図５】測定対象画像５０を３角度の測色方向（１５°、４５°、１１０）から測色する場合の様子を示す図である。
【図６】変換部３５により、３角度の測色方向における測色値を、各色トナーのトナー量を示す値（ＣＭＹＫＳｉ）を変換する様子を示す図である。
【図７】色変換モデル記憶部３６に記憶される色変換モデルの作成方法を説明するための図である。
【図８】本発明の一実施形態の画像形成装置１０における色変換装置４０の動作を説明するためのフローチャートである。
【図９】変換部３５が色変換の際に用いる目的関数を説明するための図である。
【図１０】最適Ｓｉ値の決定方法を説明するための図である。
【図１１】ＣＭＹＫトナーのみによる通常画像の測色方法を説明するための図である。
【図１２】正面方向（４５°）の測色値のみを用いてメタリック色の色見本画像を再現した場合の問題点を説明するための図である。
【図１３】ＣＭＹＫトナー画像とメタリック色の色見本画像との反射特性の違いを説明するための図である。
【図１４】本発明の一実施形態の色変換方法によりトナー量を決定してメタリック色の色見本画像を再現するために印刷した場合の画像例を示す図である。
【図１５】５角度の測色方向により測色する場合を説明するための図である。
【発明を実施するための形態】
【００２８】
次に、本発明の実施の形態について図面を参照して詳細に説明する。
【００２９】
図１は本発明の一実施形態の画像形成装置１０の外観構成を示す図である。
【００３０】
本実施形態の画像形成装置１０は、図１に示されるように、業務用印刷に用いられるいわゆるプロダクションプリンタであり、高画質、高速な印刷処理を実行できるような機能を有している。
【００３１】
この画像形成装置１０の本体部内の構造を図２を参照して説明する。画像形成装置１０は、図２に示されるように、５つの画像形成ユニット２４を備えている。この５つの画像形成ユニット２４は、それぞれイエロー（Ｙ）、マゼンタ（Ｍ）、シアン（Ｃ）、ブラック（Ｋ）および特別色のトナーを用いて画像形成するように構成されている。
【００３２】
なお、特別色のトナーには、銀色のシルバートナー（Ｓｉ）、金色のゴールドトナー（Ｇ）、透明トナー、白色トナー等が存在し、この特別色のトナーの中から１つのトナーを選択して使用することが可能になっている。図２では、これらの特別色のトナーの中から、シルバートナー（Ｓｉ）を選択してセットした場合が示されている。
【００３３】
なお、本実施形態では、シルバートナー、ゴールドトナー等のメタリック（金属光沢色）トナーを用いて画像を形成する場合において、ＣＭＹＫＳｉ各色のトナー量を決定する場合について説明するものであるが、以下の説明ではシルバートナーを用いて画像を形成する場合を用いて説明する。
【００３４】
画像形成ユニット２４は、それぞれ、感光体ドラム、感光体ドラムの表面を一様に帯電する帯電装置、感光体ドラム上に形成された静電潜像を現像する現像装置等を有している。画像形成ユニット２４の感光体ドラムは、それぞれ、光走査装置２６により照射されたレーザ光により静電潜像が形成され、各色のトナーにより現像されて画像が形成される。
【００３５】
そして、画像形成ユニット２４において形成された各色の画像は、中間転写ベルト２２に転写された後に搬送されてきた印刷用紙上にさらに転写される。そして、印刷用紙上に転写されたトナー像は定着器２８により熱と圧力により印刷用紙上に定着される。
【００３６】
次に、本実施形態の画像形成装置１０のハードウェア構成を図３に示す。
【００３７】
画像形成装置１０は、図３に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、プリントエンジン１６、後処理装置１７を有する。これらの構成要素は、制御バス１８を介して互いに接続されている。
【００３８】
プリントエンジン１６は、帯電、露光、現像、転写、定着などの工程を経て印刷用紙等の記録媒体上に画像を印刷する。後処理装置１７は、プリントエンジン１６により印刷処理が行われた後の用紙に対して、ステイプル処理、パンチ処理、折り処理等の各種後処理を実行する。
【００３９】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００４０】
図４は、上記の制御プログラムが実行されることにより実現される画像形成装置１０の機能構成を示すブロック図である。
【００４１】
本実施形態の画像形成装置１０は、図３に示されるように、印刷ジョブ受信部３１と、制御部３２と、ＵＩ装置３３と、測色値受付部３４と、変換部３５と、色変換モデル（プリンタモデル）記憶部３６と、出力部３７とを備えている。なお、測色値受付部３４と、変換部３５と、色変換モデル記憶部３６とにより色変換装置４０が構成される。
【００４２】
印刷ジョブ受信部３１は、外部の端末装置等からネットワークを介して印刷指示を受信する。
【００４３】
制御部３２は、印刷ジョブ受信部３１により受信された印刷ジョブに基づいて、出力部３７を制御することにより印刷処理を実行する。
【００４４】
ＵＩ装置３３は、ユーザからの操作を入力したり、各種情報をユーザに表示するための装置である。
【００４５】
ここで、印刷ジョブ受信部３１により受信された印刷ジョブの画像中に、特色が指定されている場合、制御部３２は、指定されている特色のトナー量を色変換装置４０からの指示に基づいて決定する。
【００４６】
色変換装置４０は、予め特色のトナー量を決定するために、特色の色見本画像を測色した測色値を測色装置５４（不図示）から受け取って、シルバートナー（Ｓｉトナー）を含むＣＭＹＫＳｉ値に変換して制御部３２に出力する。以下の説明では、この色変換装置４０を構成する測色値受付部３４、変換部３５、色変換モデル記憶部３６について説明する。
【００４７】
測色値受付部３４は、特色の色見本である目標色画像を複数方向から測定することにより得られた複数の測色値を受付ける。具体的には、測色値受付部３４は、図５に示すように、目標色画像に斜め方向から光を照射した場合に、目標色画像の法線方向である正面方向（４５°）において測定された目標色の測色値、および照射光に対する正反射方向（１５°）において測定された目標色画像の測色値、正面方向（４５°）よりも照射光の入射方向に近い側の拡散光方向（１１０°）において測定された目標色画像の測色値を受付ける。
【００４８】
なお、図５は、測定対象画像５０を３角度の測色方向（１５°、４５°、１１０）から測色する場合の様子を示す図であり、光源５２からの照射光を目標対象画像５０に対して斜め４５°方向から照射して、正反射方向を０°（基準方向）とした場合に、１５°、４５°、１１０°方向において測色装置５４により測色する様子が示されている。
【００４９】
なお、図５において４５°方向は、測定対象画像５０の正面方向（法線方向）となっている。また、１５°方向は測定対象画像５０の正反射光を測色するための正反射方向となっている。なお、正反射光を測色するための正反射方向を０°方向とせずに、１５°ずらしているのは、０°方向において測色したのでは正反射光が直接測色装置５４に入射されてしまい、測定対象の色味が測色できないからである。
【００５０】
そして、図５では、１１０°方向を測定対象画像５０からの拡散光を測定するための拡散光方向として設定している。
【００５１】
なお、メタリック色の色見本のような見る方向で色味が変化するような画像以外の通常の画像を測色する際には、正面方向（４５°）からのみ測色を行っている。本実施形態では、この正面方向（４５°）に加えて、正反射方向（１５°）、拡散光方向（１１０°）からも測色を行って測色値を得るようにしている点が通常の測色方法とは異なっている。
【００５２】
なお、少なくとも２方向、例えば、正面方向（４５°）と、正反射方向（１５°）からの測色値を用いてシルバートナーのトナー量を含む色値を算出するようにすることも可能である。
【００５３】
変換部３５は、測色値受付部３４により受付けられた複数の測色値を、光輝性色材であるシルバートナーのトナー量を示す値Ｓｉおよびシルバートナー以外のトナーのトナー量を示す値ＣＭＹＫを含む色値（ＣＭＹＫＳｉ）に変換する。
【００５４】
この変換部３５により、３角度の測色方向における測色値を、各色トナーのトナー量を示す値（ＣＭＹＫＳｉ）を変換する様子を図６に示す。
【００５５】
なお本実施形態では測色装置５４から出力される測色値がＬ*ａ*ｂ*表色系で表された信号となっている場合を用いて説明するため、以降の説明では、正面方向（４５°）の測色値をＬ*ａ*ｂ*（４５°）、正反射方向（１５°）の測色値をＬ*ａ*ｂ*（１５°）、拡散光方向（１１０°）の測色値をＬ*ａ*ｂ*（１１０°）として表現する。
【００５６】
図６に示されるように、変換部３５は、正面方向の測色値（Ｌ*（４５°）、ａ*（４５°）、ｂ*（４５°））、正反射方向の測色値（Ｌ*（１５°）、ａ*（１５°）、ｂ*（１５°））、拡散光方向の測色値（Ｌ*（１１０°）、ａ*（１１０°）、ｂ*（１１０°））をそれぞれ入力して、色変換モデル記憶部３６に記憶されている色変換モデルを用いて、ＣＭＹＫＳｉ値を出力する。なお、変換部３５が、入力された測色値を色変換モデルを用いてＣＭＹＫＳｉ値に変換する処理の詳細については後述する。
【００５７】
このように印刷ジョブ受信部３１により受信された印刷ジョブに特色の指定がされている場合、制御部３２は、色変換装置４０における色変換部により変換された色値（ＣＭＹＫＳｉ）に基づいて画像を出力するよう出力部３７を制御する。
【００５８】
なお、色変換モデル記憶部３６は、測色方向および各色の色材の色材量の組み合わせと、実際に測定された色値とが対応付けられた色変換モデルが記憶されている。
【００５９】
この色変換モデル記憶部３６内の色変換モデルの作成方法を図７を参照して説明する。
【００６０】
先ず、様々な組み合わせのＣ、Ｍ、Ｙ、Ｋ、Ｓｉ値により色票（パッチ）を出力する。そして、それぞれの色票に対して図５に示したような測色方法により、３角度の測色方向（１５°、４５°、１１０°）により測色を行う。その結果、それぞれの色票について、Ｌ*ａ*ｂ*（１５°）、Ｌ*ａ*ｂ*（４５°）、Ｌ*ａ*ｂ*（１１０°）という測色値が得られることになる。
【００６１】
そして、これらの値に基づいて、（Ｃ、Ｍ、Ｙ、Ｋ、Ｓｉ、θ（測色方向））を入力することにより色値（Ｌ*、ａ*、ｂ*）が得られるような色変換モデルを作成する。
【００６２】
具体的には、予め様々なＣ、Ｍ、Ｙ、Ｋ、Ｓｉ、θの値の組み合わせによって再現される色を測色してＬ*ａ*ｂ*値を取得することにより、複数の（Ｃ、Ｍ、Ｙ、Ｋ、Ｓｉ、θ）と（Ｌ*，ａ*，ｂ*）の組が得られる。この組を用いることにより（Ｌ*、ａ*、ｂ*）＝ｆ（Ｃ、Ｍ、Ｙ、Ｋ、Ｓｉ、θ）なる関数関係が得られるので、これを色変換モデルとすればよい。この色変換モデルを用いることにより、各色のトナー量ＣＭＹＫＳｉと、測色方向θが与えられると、予測される色値Ｌ*ａ*ｂ*を求めることができる。なお、この色変換モデルに用いる関数としては、重回帰式、ニューラルネットワーク、ダイレクトルックアップテーブルを用いた補間など、色変換モデルとして一般的な関数を用いることができる。
【００６３】
このようにして、（Ｌ*、ａ*、ｂ*）＝ｆ（Ｃ、Ｍ、Ｙ、Ｋ、Ｓｉ、θ）という関数により表現される色変換モデルが作成され、作成された色変換モデルは色変換モデル記憶部３６に記憶される。
【００６４】
次に、本実施形態の画像形成装置１０における色変換装置４０の動作を図８のフローチャートを参照して説明する。
【００６５】
先ず、測色値受付部３４は、目標画像であるメタリック色の色見本の正反射方向（１５°）、正面方向（４５°）、拡散光方向（１１０°）の測色値（Ｌ*ａ*ｂ*（１５°）、Ｌ*ａ*ｂ*（４５°）、Ｌ*ａ*ｂ*（１１０°））を受付ける（ステップＳ１０１）。
【００６６】
そして、変換部３５は、先ずＫ値を０（％）、Ｓｉ値を１００（％）に設定する（ステップＳ１０２）。
【００６７】
次に、変換部３５は、３角度の各測色方向における目標色画像の測色値と、色変換モデルから得られる各測色方向の色値との色差の平均値が最小となるような色材量の組み合わせを決定する（ステップＳ１０３）。
【００６８】
具体的には、変換部３５は、３角度の各測色方向における目標色画像の測色値と、色変換モデルから得られる各測色方向の色値との色差の加重平均（重み付け平均）値ΔＥ（ＷＡＶＧ）を算出し、この色差の加重平均値ΔＥ（ＷＡＶＧ）が最小となるＣＭＹ値を決定する。
【００６９】
この色差の加重平均値の具体例について図９を用いて説明する。図９に示すように、各測色方向における色差の加重平均値ΔＥ（ＷＡＶＧ）＝｛ｗ１×（（Ｌ*ａ*ｂ*（１５°）とｆ（Ｃ、Ｍ、Ｙ、０、Ｓｉ、１５）との色差）＋ｗ２×（（Ｌ*ａ*ｂ*（４５°）とｆ（Ｃ、Ｍ、Ｙ、０、Ｓｉ、４５）との色差）＋ｗ３×（（Ｌ*ａ*ｂ*（１１０°）とｆ（Ｃ、Ｍ、Ｙ、０、Ｓｉ、１１０）との色差）｝／（ｗ１＋ｗ２＋ｗ３）という式により加重平均値の算出を行う。
【００７０】
ここで、ｗ１、ｗ２、ｗ３は、それぞれ、正反射方向（１５°）の重み付け係数、正面方向（４５°）の重み付け係数、拡散光射方向（１１０°）の重み付け係数であり、通常は同じ値に設定する。
【００７１】
例えば、各測色方向における色差をそれぞれ同じ重み付けで扱う場合には、重み付け係数としてｗ１＝ｗ２＝ｗ３＝１とすれば良い。この場合には、色差の加重平均値ΔＥ（ＷＡＶＧ）は単純平均値となる。
【００７２】
なお、出力画像のメタリック感を調整する場合は、ｗ１、ｗ２、ｗ３を変更すれば良く、たとえばｗ１をｗ２、ｗ３よりも大きな重み係数に設定することにより、正反射方向（１５°）の色差をより低減するようにＣＭＹ値が決定され、メタリック感の高い画像を得ることができる。
【００７３】
なお、色値Ｐ＝（Ｌ1*、ａ1*、ｂ1*）と、色値Ｑ＝（Ｌ2*、ａ2*、ｂ2*）との色差ΔＥ（ＰＱ）は下記の計算式により算出される。
ΔＥ（ＰＱ）＝（（Ｌ1*−Ｌ2*）2＋（ａ1*−ａ2*）2＋（ｂ1*−ｂ2*）2）1/2
【００７４】
そして、変換部３５は、この色差の加重平均値ΔＥ（ＷＡＶＧ）が最小となるＣＭＹ値を算出する。ここで、変換部３５が、色差の加重平均値ΔＥ（ＷＡＶＧ）が最小となるＣＭＹ値を算出する際の具体的な方法としては、例えばシンプレックス法やニュートン法などの非線形方程式の数値解法を適用して最適化問題を解決する一般的な方法を用いることができる。
【００７５】
そして、色差の加重平均値ΔＥ（ＷＡＶＧ）が最小となるＳｉ値が確定した場合（ステップＳ１０４においてｙｅｓ）、処理をステップＳ１０６に進めるが、ここではまだＳｉ値が確定していないため（ステップＳ１０４においてｎｏ）、変換部３５は、Ｓｉ値を、例えば９９％、９８％、９７％・・・のように１００％から順次減少させる（ステップＳ１０５）。
【００７６】
そして、変換部３５は、再度ステップＳ１０３の処理を実行し、色差の加重平均値ΔＥ（ＷＡＶＧ）が最小となるＳｉ値が確定するまで処理を繰り返す。そして、色差の加重平均値ΔＥ（ＷＡＶＧ）が最小となるＳｉ値が確定した場合（ステップＳ１０４においてｙｅｓ）、そのＳｉ値を最適Ｓｉ値とする（ステップＳ１０６）。
【００７７】
この最適Ｓｉ値の決定方法を図１０を参照して説明する。
【００７８】
上述したようにＳｉ値を１００％から順次減少させながら３角度の測色方向における色差の加重平均値ΔＥ（ＷＡＶＧ）を算出することにより、この色差の加重平均値ΔＥ（ＷＡＶＧ）が図１０に示すように変化したものとする。この図１０に示すような場合、最も色差の加重平均値ΔＥ（ＷＡＶＧ）が最小となる７８％が最適Ｓｉ値となる。
【００７９】
そして、変換部３５は、この最適Ｓｉ値が求められた際のＣＭＹ値を最適ＣＭＹ値として決定する（ステップＳ１０６）。つまり、変換部３５は、Ｓｉトナーのトナー量を変化させずにＳｉトナー以外のＣＭＹトナーのトナー量を変化させた場合の色差の加重平均値の最小値を、Ｓｉトナーの異なるトナー量毎に順次算出することにより、色差の加重平均値の最小値が最低となるような最適Ｓｉ値を決定し、最適Ｓｉ値を決定した場合のＣＭＹトナーのトナー量を決定することにより色差の加重平均値が最小となるようなトナー量の組み合わせを決定する。
【００８０】
最後に、変換部３５は、最適ＣＭＹ値、最適Ｓｉ値、Ｋ＝０（％）を、測定したメタリック色の色見本画像に対するトナー量ＣＭＹＫＳiとして制御部３２に出力する（ステップＳ１０７）。
【００８１】
このように、変換部３５は、先ずＳｉトナーのトナー量を変化させずにＳｉトナー以外の他色のトナー（ＣＭＹ）のトナー量を変化させた場合の色差の加重平均値ΔＥ（ＷＡＶＧ）を、Ｓｉトナーの異なるトナー量毎に順次算出することにより、色差の加重平均値ΔＥ（ＷＡＶＧ）の最小値が最低となるようなＳｉトナーのトナー量を決定し、Ｓｉトナーのトナー量を決定した際のＳｉトナー以外のトナーのトナー量を決定することにより色差の平均値が最小となるようなトナー量の組み合わせを決定する。
【００８２】
次に、本実施形態の色変換装置４０では３角度の測色方向（１５°、４５°、１１０°）により測色された測色値を用いて、メタリック色の色見本画像を再現する際のＣＭＹＫＳｉトナーのそれぞれのトナー量を決定している理由を以下において説明する。
【００８３】
先ず、ＣＭＹＫトナーのみによる通常画像の測色方法を図１１を参照して説明する。メタリック色トナーを含まないＣＭＹＫトナーのみによる通常画像の反射特性は図１１に示すようになっており、正反射方向の光量は他方向よりも大きくなっているが、正反射方向以外の他の方向の拡散光の光量はほぼ同じとなっているのが分かる。そのため、通常の測色方法では、光源５２からの照射光を斜め方向で測定対象画像５０に照射して、正面方向（４５°）における色値を測色装置５４により測色している。
【００８４】
このような通常の測色方法によりメタリック色の色見本を測色して、その測色値に基づいてＣＭＹＫＳｉトナーのトナー量を決定することにより色見本画像を再現した場合の問題点を図１２を参照して説明する。
【００８５】
このように正面方向（４５°）の測色値のみを用いてメタリック色の色見本を再現した場合、正面方向（４５°）から見た場合の色味は近づけることが可能である。しかし、例えば１５°の正反射方向から見た場合の色味が大きく変わってしまう場合がある。図１２に示した例では、１５°の正反射方向から見た場合に、実際のメタリック色の色見本と比較して、ＣＭＹＫＳｉトナーにより印刷した再現画像では濃度が濃くなっており、濃度が異なる状態となっているのが分かる。
【００８６】
通常の環境下においては、様々な方向からの光が観察対象に照射されて反射された状態となっているため、人はこの様々な反射光を見て物体の色を判断している。そのため、見た方向からの色が大きく変化するメタリック色の画像等において、ある方向から見た場合の色のみを再現したとしても他方向から見た場合の色味が実際の画像とは大きく異なると、実際の照明下で見た場合の色味も変ってしまうことになる。
【００８７】
次に、ＣＭＹＫトナー画像とメタリック色の色見本画像との反射特性の違いを図１３を参照して説明する。
【００８８】
メタリック色の色見本画像とＣＭＹＫトナー画像とでは、反射特性の違いにより、メタリック色の色見本画像では、ＣＭＹＫトナー画像に対して、正反射方向（１５°）の明度が高く、拡散光方向（１１０°）の明度が低くなっている。
【００８９】
そのため、本実施形態の色変換装置４０では、正面方向（４５°）における測色値だけでなく、正反射方向（１５°）および拡散光方向（１１０°）における測色値を用いて、それぞれの測色方向における色差の平均値が小さくなるようなＣＭＹＫＳｉトナー量の値を決定することにより、いずれの方向から見た場合でも色見本画像に近くなるような画像を再現するようにしている。
【００９０】
このような色変換方法によりトナー量を決定する本実施形態の画像形成装置１０により、メタリック色の色見本画像を再現して印刷した場合の画像例を図１４に示す。
【００９１】
図１４に示すように、本実施形態の色変換方法によりトナー量が決定されたＣＭＹＫＳｉトナーにより画像を印刷した場合、正面方向（４５°）から見た場合だけでなく、正反射方向（１５°）から見た場合の色味もメタリック色の色見本画像に近づいているのが分かる。また、図１４には示されていないが、拡散光方向（１１０°）から見た場合の色味は、色見本画像と比較して明度が若干高くなるが、拡散光方向（１１０°）における色差を反映してトナー量を決定しているので、拡散光方向（１１０°）における色差をあまり大きくすることなく正反射方向（１５°）の濃度を色見本画像に近づけることができる。
【００９２】
なお、上記では正反射方向（１５°）、正面方向（４５°）、拡散光方向（１１０°）の３角度の測色方向の測色値を用いて、シルバートナーを含む各色のトナー量を算出する場合を用いて説明したが、３角度以上の４角度、５角度等の多角度の測色方向の測色値を用いてトナー量を算出するようにしても良い。例えば、正反射方向（１５°）、正反射方向（２５°）、正面方向（４５°）、拡散光方向（７５°）、拡散光方向（１１０°）の５角度の測色方向により測定対象画像５０の測色を行う場合を図１５に示す。
【００９３】
この図１５に示したような測色方法により得られた５角度の測色方向の測色値を用いても、上記で説明したのと同様な方法によりシルバートナーを含む各色のトナー量を算出することが可能である。
【００９４】
つまり、変換部３５は、正反射方向（１５°）、正面方向（４５°）、拡散反射方向（１１０°）の測色値に加えて、正面方向（４５°）よりも正反射方向（１５°）に近い方向（２５°）において測定された目標色画像の測色値や、正面方向（４５°）と光源５２による照射方向との間における拡散光方向（１１０°）において測定された目標色画像の測色値を用いて各色のトナー量を算出するようにしても良い。また、図１５に示したような測色方向以外の測色方向において測色された測色値を用いることも可能である。
【００９５】
そして、トナー量の算出に用いる測色値の数が多い方が実際の光の下で見た場合の色味を色見本画像に近づけることができる。
【００９６】
[変形例]
上記実施形態では、シルバートナー、ゴールドトナー等のメタリック（金属光沢色）トナーを用いて印刷を行う画像形成装置に対して適用した場合を用いて説明したが、本発明はこれに限定されるものではなく、トナー以外の色材であってもパール色材等の見る方向により色味が異なるような光輝性色材を用いて印刷を行う場合でも同様に本発明を適用することができるものである。
【符号の説明】
【００９７】
１０    画像形成装置
１１    ＣＰＵ
１２    メモリ
１３    記憶装置
１４    通信インタフェース（ＩＦ）
１５    ユーザインタフェース（ＵＩ）装置
１６    プリントエンジン
１７    後処理装置
１８    制御バス
２２    中間転写ベルト
２４    画像形成ユニット
２６    光走査装置
２８    定着器
３１    印刷ジョブ受信部
３２    制御部
３３    ＵＩ装置
３４    測色値受付部
３５    変換部
３６    色変換モデル記憶部
３７    出力部
４０    色変換装置
５０    測定対象画像
５２    光源
５４    測色装置
【図１】
2019004322.tif 000003
【図２】
2019004322.tif 000004
【図３】
2019004322.tif 000005
【図４】
2019004322.tif 000006
【図５】
2019004322.tif 000007
【図６】
2019004322.tif 000008
【図７】
2019004322.tif 000009
【図８】
2019004322.tif 000010
【図９】
2019004322.tif 000011
【図１０】
2019004322.tif 000012
【図１１】
2019004322.tif 000013
【図１２】
2019004322.tif 000014
【図１３】
2019004322.tif 000015
【図１４】
2019004322.tif 000016
【図１５】
2019004322.tif 000017
【手続補正書】
【提出日】平成30年2月2日(2018.2.2)
【手続補正１】
【補正対象書類名】明細書
【補正対象項目名】００４１
【補正方法】変更
【補正の内容】
【００４１】
本実施形態の画像形成装置１０は、図４に示されるように、印刷ジョブ受信部３１と、制御部３２と、ＵＩ装置３３と、測色値受付部３４と、変換部３５と、色変換モデル（プリンタモデル）記憶部３６と、出力部３７とを備えている。なお、測色値受付部３４と、変換部３５と、色変換モデル記憶部３６とにより色変換装置４０が構成される。
【手続補正２】
【補正対象書類名】明細書
【補正対象項目名】００９４
【補正方法】変更
【補正の内容】
【００９４】
つまり、変換部３５は、正反射方向（１５°）、正面方向（４５°）、拡散反射方向（１１０°）の測色値に加えて、正面方向（４５°）よりも正反射方向（１５°）に近い方向（２５°）において測定された目標色画像の測色値や、正面方向（４５°）と光源５２による照射方向との間における拡散光方向（７５°）において測定された目標色画像の測色値を用いて各色のトナー量を算出するようにしても良い。また、図１５に示したような測色方向以外の測色方向において測色された測色値を用いることも可能である。